(57)【要約】【課題】迅速にレンズの着脱を行うことが可能な眼鏡を提供する。【解決手段】フレーム本体２２と、フレーム本体２２の両側に配置されたアーム３０とを備える。その特徴は次の通りである。フレーム本体２２は、レンズ１の厚さに対応する下向きのクリップ溝２２１と、クリップ溝２２１の横に繋がる穿孔２２２と、穿孔２２２の中に装着されたボール２３およびスプリング２４と、穿孔２２２の一端を塞くことでスプリング２４を係止する位置制限部２５とを有する。スプリング２４は一端がボール２３に当接し、他端が位置制限部２５に当接する。ボール２３は一部が穿孔２２２の外側に露出している。【選択図】  図２
2015069044.tif 000002
【特許請求の範囲】
【請求項１】
フレーム本体と、
当該フレーム本体の両側に配置されているアームとを備える眼鏡フレームであって、
前記フレーム本体は、レンズの厚さに対応している下向きのクリップ溝、当該クリップ溝の横に繋がっている穿孔、当該穿孔の中に装着されているボールおよびスプリング、ならびに前記穿孔の一端を塞ぐことで前記スプリングを係止する位置制限部を有し、
前記スプリングは、一端が前記ボールに当接し、他端が前記位置制限部に当接し、
前記ボールは、一部が前記穿孔の外側に露出していることを特徴とする眼鏡フレーム。
【請求項２】
レンズおよびフレームを備える眼鏡であって、
前記フレームは、フレーム本体、および当該フレーム本体の両側に配置されているアームを有し、
前記フレーム本体は、レンズの厚さに対応している下向きのクリップ溝、当該クリップ溝の横に繋がっている穿孔、当該穿孔の中に装着されているボールおよびスプリング、ならびに前記穿孔の一端を塞ぐことで前記スプリングを係止する位置制限部を有し、
前記スプリングは、一端が前記ボールに当接し、他端が前記位置制限部に当接し、
前記レンズは、前記クリップ溝に着脱可能に嵌め込まれており、前記ボールに対応する位置に位置決め部が形成されており、
前記ボールは、一部が前記穿孔の外側に露出しており、前記穿孔の外側に露出している部分が前記位置決め部の中に嵌ることを特徴とする眼鏡。
【発明の詳細な説明】
【技術分野】
【０００１】
本発明は、眼鏡フレームおよびそれを用いた眼鏡に関する。
【背景技術】
【０００２】
眼鏡は、近眼眼鏡と老眼眼鏡などの視力矯正用眼鏡と、防風眼鏡とサンクラスなどの外出およびファッション用眼鏡と、ゴーグルおよび減衰機能付眼鏡などのスポーツ用眼鏡とがあり、種類が様々である。言い換えれば、眼鏡は使い道の範囲が人のニーズに応じて広くなる。上述の眼鏡の中では、レンズ固定用リムの代わりにテグスまたは接着ユニットを使ってレンズをフレームに固定する眼鏡が多い。このような固定方式はレンズの着脱に不便であるだけでなく、製造工程が非常に複雑であるため、言うまでもなく生産コストが高く付く。従って、上述した問題を解決するには、レンズの固定構造を改良する必要がある。
【先行技術文献】
【特許文献】
【０００３】
【特許文献１】実開平５−４５６３３号公報
【発明の概要】
【発明が解決しようとする課題】
【０００４】
本発明は、上述した技術の欠点に鑑み、迅速にレンズの着脱を行うことが可能な眼鏡フレームおよびそれを用いた眼鏡を提供することを主な目的とする。
【課題を解決するための手段】
【０００５】
本発明による眼鏡フレームは、フレーム本体と、フレーム本体の両側に配置されたアームとを備える。その特徴は次の通りである。フレーム本体は、レンズの厚さに対応する下向きのクリップ溝と、クリップ溝の横に繋がる穿孔と、穿孔の中に装着されたボールおよびスプリングと、穿孔の一端を塞くことでスプリングを係止する位置制限部とを有する。スプリングは一端がボールに当接し、他端が位置制限部に当接する。ボールは一部が穿孔の外側に露出している。
【０００６】
本発明による眼鏡フレームにおいて、位置制限部はノーズパッドである。ノーズパッドはフレーム本体の中央部位に着脱できるように装着される。
【０００７】
本発明によるレ眼鏡フレームにおいて、フレーム本体のクリップ溝は幅がボールの直径より小さい。
【０００８】
本発明による眼鏡フレームにおいて、フレーム本体は二つのレンズリムと、二つのレンズリムの間に形成された連結部とを有する。クリップ溝および穿孔は連結部に形成される。
【０００９】
本発明による眼鏡フレームにおいて、フレーム本体の二つのレンズリムは内壁に着脱できるように装着された固定用枠を有する。固定用枠は機能が異なるレンズの装着に用いられる。
【００１０】
本発明による眼鏡は、レンズおよびフレームを備える。その特徴は次の通りである。フレームは、フレーム本体と、フレーム本体の両側に配置されたアームとを有する。フレーム本体はレンズの厚さに対応する下向きのクリップ溝と、クリップ溝の横に繋がる穿孔と、穿孔の中に装着されているボールおよびスプリングと、穿孔の一端を塞いでスプリングを制限する位置制限部とを有する。スプリングは一端がボールに当接し、他端が位置制限部に当接する。ボールは一部が穿孔の外側に露出する。レンズはクリップ溝に着脱可能に嵌め込まれており、ボールに対応する部位に位置決め部を有する。ボールは穿孔の外側に露出した部分が位置決め部の中に嵌る。
【００１１】
本発明による眼鏡において、レンズの位置決め部は陥没孔である。
【００１２】
本発明による眼鏡において、レンズの位置決め部は穿孔である。
【００１３】
本発明による眼鏡において、位置制限部はノーズパッドである。ノーズパッドはフレーム本体の中央部位に着脱できるように装着される。
【００１４】
本発明による眼鏡において、フレーム本体のクリップ溝は幅がボールの直径より小さい。
【００１５】
本発明による眼鏡の長所は次の通りである。フレーム本体上のクリップ溝によってレンズを位置決めおよび固定し、スプリングの弾力によってレンズ上の位置決め部にボールの一部分を嵌め込むため、レンズはフレーム本体から逸脱することなく、フレーム本体に安定して固定されることができる。レンズを固定する構造は、単純であるだけでなく、レンズの着脱が迅速に行うことができるようにし、使用に便利であるため、レンズの組み立ての効率を向上し、製造コストを削減することができる。
【図面の簡単な説明】
【００１６】
【図１】本発明の一実施形態による眼鏡を示す斜視図である。
【図２】本発明の一実施形態による眼鏡を示す分解斜視図である。
【図３】本発明の一実施形態による眼鏡フレームを示す分解斜視図である。
【図４】本発明の一実施形態による眼鏡フレーム本体を示す斜視図である。
【図５】本発明の一実施形態による眼鏡を示す要部断面図である。
【図６】本発明の一実施形態による眼鏡のレンズを取り外す方法を示す模式図である。
【発明を実施するための形態】
【００１７】
（一実施形態）
以下、本発明の一実施形態による眼鏡を図面に基づいて説明する。
【００１８】
図１から図５に示すように、本発明の一実施形態による眼鏡は、レンズ１およびフレーム２を備える。
レンズ１は、一体成型され、かつ中央部位に形成された位置決め部１１を有する。位置決め部１１は陥没孔または穿孔である。
【００１９】
フレーム２は、フレーム本体２０と、フレーム本体２０の両側に配置されたアーム３０とを有する。フレーム本体２０は二つのレンズリム２１と、二つのレンズリム２１の間に形成された連結部２２とを有する。連結部２２はレンズ１の厚さに対応するクリップ溝２２１と、クリップ溝２２１の横に繋がる穿孔２２２と、内側面に形成された凹面２２３と、凹面２２３に形成された二つのねじ孔２２４とを有する。
【００２０】
穿孔２２２はクリップ溝２２１および凹面２２３に繋がる。二つのレンズリム２１は内側面上の二つの向かい合う外側辺縁に嵌合溝２２５を有する。ボール２３およびスプリング２４は穿孔２２２に順に装着される。スプリング２４を制限する位置制限部２５は穿孔２２２の一端に固定される。位置制限部２５はノーズパッドでもよい。位置制限部２５は連結部２２の内側面に着脱できるように配置され、かつ凹面２２３の二つのねじ孔２２４に対応する部位に二つの貫通孔２５０と、二つの貫通孔２５０に差し込まれるねじ２５１とを有する。
【００２１】
位置制限部２５はねじ２５１によって連結部２２の内側面に固定される。スプリング２４は一端が位置制限部２５に当接し、他端がボール２３に当接する。ボール２３は一部が穿孔２２２の外側に露出する。ボール２３の直径がクリップ溝２２１の幅より大きいため、クリップ溝２２１からボール２３が落下することを防止することができる。二つのアーム３０は二つのレンズリム２１の外側辺縁に接続される。
【００２２】
フレーム本体２０の二つのレンズリム２１は内壁に着脱できるように装着された固定用枠２６を有する。固定用枠２６は機能が異なるレンズの固定に用いられ、一側の辺縁に固定用突起部２６０を有し、他側の辺縁に位置決め用突起部２６１を有する。固定用突起部２６０はフレーム本体２０の連結部２２上の凹面２２３に配置され、かつ貫通孔２６２を有する。固定用突起部２６０の貫通孔２６２は連結部２２の凹面２２３上のねじ孔２２４および位置制限部２５上の貫通孔２５０に対応する。位置制限部２５および固定用枠２６をフレーム本体２０にねじ２５１で固定し、固定用枠２６の位置決め用突起部２６１をレンズリム２１の嵌合溝２２５に差し込み、固定すると、眼鏡の構造が完成する。
【００２３】
本発明のレンズの着脱方法は次の通りである。図５および図６に示すように、レンズ１を取り付ける際、フレーム本体２０のクリップ溝２２１にレンズ１の中央部位を差し込み、レンズ１の位置決め部１１を穿孔２２２に対応させる。続いてスプリング２４の弾力によってレンズ１の位置決め部１１にボール２３を嵌め込むと、レンズ１は外力に頼ることなくフレーム本体２０に固定される。レンズ１を取り外す際、ボール２３およびレンズ１の位置決め部１１は円弧形に設計されるため、レンズ１を下に引っ張り、レンズ１の鏡面によってボール２３を穿孔２２２の奥へ転動および後退させ、スプリング２４を圧縮すれば、レンズ１の位置決め部１１とボール２３とを分離させ、レンズ１を取り外すことができる。このとき着脱作業が完了する。
【００２４】
本発明の設計上のポイントは次の通りである。フレーム本体２０上のクリップ溝２２１によってレンズ１を位置決めおよび固定し、スプリング２４の弾力によってレンズ１の位置決め部１１にボール２３の一部分を嵌め込むため、フレーム本体２０にレンズ１を安定させ、固定することができる。レンズ１を固定する構造が単純でレンズ１の着脱が迅速かつ簡単であるため、レンズの組み立ての効率を向上させ、製造コストを削減することができる。
【００２５】
以上、本発明は、上記実施形態になんら限定されるものではなく、発明の趣旨を逸脱しない範囲において種々の形態で実施可能である。
【符号の説明】
【００２６】
１：レンズ、  
１１：位置決め部、  
２：フレーム、  
２１：レンズリム、  
２２：フレーム本体、  
２２：連結部、  
２２１：クリップ溝、  
２２２：穿孔、  
２２３：凹面、  
２２４：ねじ孔、  
２２５：嵌合溝、  
２３：ボール、  
２４：スプリング、  
２５：位置制限部、  
２５０：貫通孔、  
２５１：ねじ、  
２６：固定用枠、  
２６０：固定用突起部、  
２６１：位置決め用突起部、  
２６２：穿孔、  
３０：アーム。
【図１】
2015069044.tif 000003
【図２】
2015069044.tif 000004
【図３】
2015069044.tif 000005
【図４】
2015069044.tif 000006
【図５】
2015069044.tif 000007
【図６】
2015069044.tif 000008